(57)【要約】【課題】従来、インデックス情報を記録する際には映像・音声とは別途インデックス情報を記録する必要があった。一方、Ｄ−ＶＨＳ、ハードディスクレコーディング等の汎用的な記録フォーマットではインデックス情報を記録することができない。本発明は、特殊な記録フォーマットを用いることなく、インデックス情報を記録でき、希望の部分のみを再生できる受信装置等を提供することを目的とする。【解決手段】映像のＭＰＥＧエレメンタリーストリーム２０１で定義されているユーザーデータ２０３の中に、番組内インデックス情報を入れることにより、利用者は番組内の単位ごとに単位種別２０４、開始時刻２０５、終了時刻２０６、その情報を知ることができ、映像のＭＰＥＧエレメンタリーストリームを記録すれば映像と同時にインデックス情報が記録でき、再生時に利用することができる。【選択図】図２
2006311040.tif 000002
【特許請求の範囲】
【請求項１】
ユーザーデータを有する映像音声符号化復号化方式を用いた放送内容において番組内の複数のユーザーデータにインデックス情報を記録する記録装置。
【請求項２】
請求項１に記載の記録装置によって記録されたインデックス情報に基づいて再生する再生装置。
【請求項３】
請求項１に記載の記録装置に記録するためのインデックス情報を付与して送出する送信装置。
【請求項４】
請求項３に記載の送信装置から送出されたインデックス情報を受信する受信装置。
【発明の詳細な説明】
【技術分野】
【０００１】
本発明はＭＰＥＧ規格等の映像音声符号化技術を用いたデジタル放送技術に関するものである。
【背景技術】
【０００２】
従来、番組内の複数の単位ごとのインデックスを付与する方法として、特許文献１の例があり、番組と同期してインデックス情報を入れる方式となっているが、映像・音声に多重するか、映像音声とはまったく別の方法で送る仕組みとなっている。
【特許文献１】特開２００２−３３０４１１号公報
【発明の開示】
【発明が解決しようとする課題】
【０００３】
しかしながら、従来の技術では、インデックス情報は映像・音声と多重されていたとしても、映像・音声外の信号であるため、記録する際には映像・音声とは別途インデックス情報を記録する必要があるという問題点があった。
【０００４】
また、アナログ放送をデジタルに変換して記録することと、デジタル放送をデジタルのまま記録すること（例えば、Ｄ−ＶＨＳ、ハードディスクレコーディング）が一般的に行われるようになってきた。このとき、汎用的な記録フォーマットではインデックス情報を記録することができず、番組全体を汎用的な記録フォーマットで記録した場合は、特定の希望するインデックス情報を持つ部分のみを再生することが不可能であるという問題点があった。
【０００５】
本発明は、特殊な記録フォーマットを用いることなく、インデックス情報を記録でき、希望の部分のみを再生できる受信装置等を提供することを目的とする。
【課題を解決するための手段】
【０００６】
本発明の記録装置は、ユーザーデータを有する映像音声符号化復号化方式を用いた放送内容において番組内の複数のユーザーデータにインデックス情報を記録することを特徴とする。
【０００７】
また、本発明の再生装置は記録装置によって記録されたインデックス情報に基づいて再生することを特徴とする。
【０００８】
また、本発明の送信装置は記録装置に記録するためのインデックス情報を付与して送出することを特徴とする。
【０００９】
また、本発明の受信装置は送信装置から送出されたインデックス情報を受信することを特徴とする。
【発明の効果】
【００１０】
以上の様に、本発明は特殊な記録フォーマットを用いることなく、インデックス情報を記録でき、希望の部分のみを再生できる受信装置等を提供することができる。
【発明を実施するための最良の形態】
【００１１】
以下本発明を実施するための最良の形態について、図面を参照しながら説明する。
（実施の形態１）
図１は、本発明の実施の形態１における記録装置の構成を示すブロック図である。受信手段１０１で受信した信号は、ＭＰＥＧ変換手段１０２でＭＰＥＧ映像とＭＰＥＧ音声に変換される。ここで、「ＭＰＥＧ映像」とは映像のＭＰＥＧエレメンタリーストリーム（以下、「ＭＰＥＧ−ＥＳ」という。）をいい、「ＭＰＥＧ音声」とは音声のＭＰＥＧ−ＥＳをいう。この時、ＭＰＥＧの形式で放送されている場合は、その信号をそのまま使ってもよい。
【００１２】
一方、放送局より送られてきたインデックス情報は、インデックス情報抽出手段１０３によって取り出され、インデックス情報埋め込み手段１０４によって、ＭＰＥＧ映像のユーザーデータに埋め込まれ、録画手段１０５にて記録される。この時の、放送局より送られてくるインデックス情報の送り方には制限は無く、例えば、映像に多重してもよく、テーブルを送ってもよい。このようにしてテレビ放送において番組内の複数の単位ごと（例：ニュース番組の項目や、番組内のコマーシャル）にインデックス情報を付与して記録することができる。
【００１３】
図２は、本発明の実施の形態１におけるインデックス情報付加位置を示す模式図である。具体的には、ＭＰＥＧ映像にインデックス情報を埋め込む様子を示した図である。ＭＰＥＧ映像はＭＰＥＧエレメンタリーストリーム２０１の形で圧縮し記録するが、ＭＰＥＧ−ＥＳにはシーケンス層２０２という階層があり、その中にユーザーデータ２０３という自由に利用できるエリアがある。新しい番組内インデックス開始の前、開始と同時、後または番組内の複数箇所のユーザーデータ２０３内に、インデックス単位種別２０４、開始時刻２０５、終了時刻がわかる場合には終了時刻２０６、そしてその他インデックス情報２０７を挿入する。開始時刻２０５と、終了時刻２０６は、時分秒でもＰＣＲでもよく、絶対値でも現在時刻との差でもよい。このユーザーデータ２０３は、従来の再生装置では無視されるので、悪影響を与えることは無い。
【００１４】
図３は、本発明の実施の形態１における再生装置の構成を示すブロック図である。再生手段３０１で再生された番組は、ＭＰＥＧ分離手段３０２でＭＰＥＧ映像とＭＰＥＧ音声に分離され、ＭＰＥＧ映像はユーザーデータ抽出手段３０３においてインデックス情報が抽出される。抽出されたインデックス情報に基づき、利用者によって再生が選択された部分かどうかを、再生制御手段３０４で抽出されたインデックス情報と利用者が再生を希望するためにあらかじめ登録した情報とを比較して一致するかを判断し、一致する場合には再生手段３０１に再生を指示し、一致しない場合には再生を指示しないことで制御する。デコード処理手段３０５ではＭＰＥＧ分離手段３０２の出力であるＭＰＥＧ音声とユーザーデータ抽出手段３０３の出力に基づいてデコード処理が行われる。このことにより、利用者が望む部分のみを再生することができる。
【００１５】
以上の様に、ＭＰＥＧで記録するものいずれにでも、インデックス情報を記録でき、またインデックス情報を再生できる。従って、例えばＤＶＤ−Ｒディスクに記録した場合、本発明に対応した再生装置ではインデックス情報を認識しての再生が可能であり、従来の再生装置ではインデックス情報を認識しない通常の再生が可能であり、従来の装置に対し上位互換性を有する。
【００１６】
また利用者は、番組内の選択した好みの部分のみ視聴あるいは好みの部分のみを記録するだけでなく、好みの部分のみの再生ができるようになり、利便性が向上する。
【００１７】
このように、インデックス情報を映像や音声に付加するのではなく、映像のＭＰＥＧ−ＥＳで定義されているユーザーデータの中に、番組内インデックス情報を入れることで、利用者は番組内の単位ごとに、単位の種類、開始時刻、終了時刻およびその他情報を知ることができ、映像のＭＰＥＧエレメンタリーストリームを記録すれば映像と同時にインデックス情報が記録でき、再生時に利用することができる。
【００１８】
尚、以上においてＭＰＥＧを用いて説明したが、その他のユーザーデータを有する映像音声符号化復号化方式であってもよい。
（実施の形態２）
図４は、本発明の実施の形態２における送信装置の構成を示すブロック図である。ＭＰＥＧ映像４０１は番組の映像をＭＰＥＧに変換したものであり、これに、インデックス情報作成手段４０３で作成されたインデックス情報を、インデックス情報埋め込み手段４０２で、ＭＰＥＧ映像の中に埋め込む。この映像は、ＭＰＥＧ音声４０４、ＭＰＥＧ化された他の番組の映像音声４０５や付加情報４０６と、ＭＰＥＧ多重化手段４０７にて、一つのＭＰＥＧデータとして送信手段４０８に入力され、放送される。
【００１９】
この時、他の番組にインデックス情報が含まれていてもよいし、含まれていなくてもよい。
【００２０】
図５は、本発明の実施の形態２における受信装置の構成を示すブロック図である。放送は、受信手段５０１で受信されＭＰＥＧ分離手段５０２に入力される。ＭＰＥＧ分離手段５０２は目的とするＭＰＥＧ映像を抜き出し、ユーザーデータ抽出手段５０３にて、ユーザーデータが抜き出され、必要なインデックス情報を出力する。ＭＰＥＧ−ＥＳとその他のデータは、デコード処理手段５０４にて映像や音声となり、番組を視聴できる。このインデックス情報を利用することにより、現在放送されているものが望んでいる内容かどうかを知ることができる。
【００２１】
図６は、本発明の実施の形態２における記録装置の構成を示すブロック図である。受信手段６０１で受信した信号は、ＭＰＥＧ分離手段６０２で必要な番組のみが抜き出され、ＭＰＥＧ映像の中のインデックス情報を含むユーザーデータはそのまま録画手段６０３で記録される。このとき記録するのは、全ての番組でも、複数の番組でも、特定の１番組でもよい。
【００２２】
かかる構成をとれば、録画手段６０３にインデックス情報を抜き出すための特殊なことをせずに、インデックス情報を記録することができる。
（実施の形態３）
図７は、本発明の実施の形態３における記録装置の構成を示すブロック図である。図７において図１と同じ構成については同じ符号を用い、説明を省略する。受信手段１０１で受信した信号は、ＭＰＥＧ分離手段１０２で必要な番組が抜き出される。利用者がインデックス情報を付与したいところで操作することにより、利用者操作手段７０１からその情報が入力され、インデックス情報埋め込み手段１０４によって、インデックス情報はＭＰＥＧ−ＥＳのユーザーデータに埋め込まれ、録画手段１０５にて記録される。
【産業上の利用可能性】
【００２３】
本発明の記録装置、再生装置、送信装置および受信装置は、通常のＭＰＥＧ記録で扱える形式でインデックス情報の記録が可能になるので、利用者の好みに合わせた視聴や再生を容易に行うことが出来、ＭＰＥＧデジタル放送等として有用である。
【図面の簡単な説明】
【００２４】
【図１】本発明の実施の形態１における記録装置の構成を示すブロック図
【図２】本発明の実施の形態１におけるインデックス情報付加位置を示す模式図
【図３】本発明の実施の形態１における再生装置の構成を示すブロック図
【図４】本発明の実施の形態２における送信装置の構成を示すブロック図
【図５】本発明の実施の形態２における受信装置の構成を示すブロック図
【図６】本発明の実施の形態２における記録装置の構成を示すブロック図
【図７】本発明の実施の形態３における記録装置の構成を示すブロック図
【符号の説明】
【００２５】
１０１    受信手段
１０２    ＭＰＥＧ変換手段
１０３    インデックス情報抽出手段
１０４    インデックス情報埋め込み手段
１０５    録画手段
２０１    ＭＰＥＧエレメンタリーストリーム
２０２    シーケンス層
２０３    ユーザーデータ
２０４    単位種別
２０５    開始時刻
２０６    終了時刻
２０７    その他のインデックス情報
３０１    再生手段
３０２    ＭＰＥＧ分離手段
３０３    ユーザーデータ抽出手段
３０４    再生制御手段
３０５    デコード処理手段
４０１    ＭＰＥＧ映像ソース
４０２    インデックス情報埋め込み手段
４０３    インデックス情報作成手段
４０４    ＭＰＥＧ音声ソース
４０５    他の番組の映像音声ソース
４０６    付加情報
４０７    ＭＰＥＧ多重化手段
４０８    送信手段
５０１    受信手段
５０２    ＭＰＥＧ分離手段
５０３    ユーザーデータ抽出手段
５０４    デコード処理手段
６０１    受信手段
６０２    ＭＰＥＧ分離手段
６０３    録画手段
７０１    利用者操作手段
【図１】
2006311040.tif 000003
【図２】
2006311040.tif 000004
【図３】
2006311040.tif 000005
【図４】
2006311040.tif 000006
【図５】
2006311040.tif 000007
【図６】
2006311040.tif 000008
【図７】
2006311040.tif 000009